(57)【要約】【課題】ワンシャフトマルチカー方式のエレベーターにおいて、地震の発生時にかごが急行ゾーンに停止した場合に、かご同士の衝突及びかごと釣合い重りの干渉を回避しつつ適切な救出運転を行うことができるエレベーターの制御装置を提供する。【解決手段】１つの昇降路内にそれぞれ独立して昇降可能に設けられた上かご及び下かごの両者のそれぞれについて、地震発生時に急行ゾーンに停止した場合に、当該停止したかごの停止位置に基づいて当該かごの救出運転方向を決定する停止位置判定手段と、前記当該かごの停止位置及び救出運転方向に基づいて前記当該かごの救出階を決定する救出階判定手段と、前記両者の救出運転方向及び救出階が同一の場合に、前記両者のうち当該救出階に近いかごの救出階を、前記当該救出階より当該救出運転方向における１つ先の戸開可能階へと変更する救出階変更手段と、を備える。【選択図】図１
2014094826.tif 000002
【特許請求の範囲】
【請求項１】
１つの昇降路内にそれぞれ独立して昇降可能に設けられた上かご及び下かごの両者のそれぞれについて、地震感知器により予め定められた基準以上の地震の発生を感知して急行ゾーンに停止した場合に、当該停止したかごの停止位置に基づいて当該かごの救出運転方向を決定する停止位置判定手段と、
前記当該かごの停止位置及び救出運転方向に基づいて前記当該かごの救出階を決定する救出階判定手段と、
前記両者の救出運転方向及び救出階が同一の場合に、前記両者のうち当該救出階に近いかごの救出階を、前記当該救出階より当該救出運転方向における１つ先の戸開可能階へと変更する救出階変更手段と、を備えたことを特徴とするエレベーターの制御装置。
【請求項２】
前記両者の救出運転方向及び救出階が同一の場合、前記両者の一方が当該救出階への救出運転を開始したときに、前記両者の他方の救出運転を開始させる同時走行かご判定手段を備えたことを特徴とする請求項１に記載のエレベーターの制御装置。
【請求項３】
前記両者の救出運転方向及び救出階が同一であって、かつ、前記両者の一方が既に当該救出階に停止している場合に、前記一方での乗客救出が完了するまで前記両者の他方の救出運転を阻止する起動阻止手段を備えたことを特徴とする請求項１又は請求項２に記載のエレベーターの制御装置。
【請求項４】
前記起動阻止手段は、前記両者の救出運転方向が反対方向である場合に、前記両者の救出運転を阻止することを特徴とする請求項３に記載のエレベーターの制御装置。
【請求項５】
前記停止位置判定手段は、
前記急行ゾーンに停止したかごの停止位置が前記昇降路の中心より上側の場合に当該かごの救出運転方向を上向きに決定し、
前記急行ゾーンに停止したかごの停止位置が前記昇降路の中心より下側の場合に当該かごの救出運転方向を下向きに決定することを特徴とする請求項１から請求項４のいずれか一項に記載のエレベーターの制御装置。
【請求項６】
前記両者を一群として運行管理する群管理装置と、
前記両者のそれぞれに対応して設けられ、前記群管理装置の管理下で前記両者の運転をそれぞれ制御する各台制御装置と、を備え、
前記停止位置判定手段及び前記救出階判定手段は、それぞれの前記各台制御装置に設けられ、
前記救出階変更手段は、前記群管理装置に設けられたことを特徴とする請求項１から請求項５のいずれか一項に記載のエレベーターの制御装置。
【発明の詳細な説明】
【技術分野】
【０００１】
この発明は、エレベーターの制御装置に関するものである。
【背景技術】
【０００２】
従来、１つの昇降路内にそれぞれ独立して昇降する複数のかごが配設されたいわゆるワンシャフトマルチカー方式のエレベーターの制御装置においては、地震等の災害発生時に管制運転を行う場合に、下かごの管制運転完了後、下かごを退避階より下方の階に移動させ、次いで上かごの管制運転を行うものが知られている（例えば、特許文献１参照）。
【先行技術文献】
【特許文献】
【０００３】
【特許文献１】特開２００４−２４４１２３号公報
【特許文献２】特開２０１０−０４７４０１号公報
【発明の概要】
【発明が解決しようとする課題】
【０００４】
しかしながら、特許文献１に示された従来におけるエレベーターの制御装置においては、地震感知器により地震の発生を感知してかごが急行ゾーンに停止した場合における救出運転や、この救出運転中における地震の揺れによるかごと釣合い重りとの干渉については全く考慮されていない。
【０００５】
この発明は、このような課題を解決するためになされたもので、１つの昇降路内に複数のかごが配設されたワンシャフトマルチカー方式のエレベーターにおいて、地震感知器により地震の発生を感知してかごが急行ゾーンに停止した場合に、かご同士の衝突及びかごと釣合い重りの干渉を回避しつつ適切な救出運転を行うことができるエレベーターの制御装置を得るものである。
【課題を解決するための手段】
【０００６】
この発明に係るエレベーターの制御装置においては、１つの昇降路内にそれぞれ独立して昇降可能に設けられた上かご及び下かごの両者のそれぞれについて、地震感知器により予め定められた基準以上の地震の発生を感知して急行ゾーンに停止した場合に、当該停止したかごの停止位置に基づいて当該かごの救出運転方向を決定する停止位置判定手段と、前記当該かごの停止位置及び救出運転方向に基づいて前記当該かごの救出階を決定する救出階判定手段と、前記両者の救出運転方向及び救出階が同一の場合に、前記両者のうち当該救出階に近いかごの救出階を、前記当該救出階より当該救出運転方向における１つ先の戸開可能階へと変更する救出階変更手段と、を備えた構成とする。
【発明の効果】
【０００７】
この発明に係るエレベーターの制御装置においては、１つの昇降路内に複数のかごが配設されたワンシャフトマルチカー方式のエレベーターにおいて、地震感知器により地震の発生を感知してかごが急行ゾーンに停止した場合に適切な救出運転を行うことができるという効果を奏する。
【図面の簡単な説明】
【０００８】
【図１】この発明の実施の形態１に係るエレベーターの制御装置を備えたワンシャフトマルチカー方式のエレベーターの全体構成を模式的に示す図である。
【図２】この発明の実施の形態１に係る各台制御装置の構成を示す図である。
【図３】この発明の実施の形態１に係るワンシャフトマルチカー方式のエレベーターにおける上下のかごの位置とかご及び釣合い重りの走行方向との関係を説明する図である。
【図４】この発明の実施の形態１に係る上下のかごが昇降路中心より上側に停止した際のパターンを説明する図である。
【図５】この発明の実施の形態１に係る図４の各パターンにおける上下のかごの走行方向を説明する図である。
【図６】この発明の実施の形態１に係る上下のかごが昇降路中心より下側に停止した際のパターンを説明する図である。
【図７】この発明の実施の形態１に係る図６の各パターンにおける上下のかごの走行方向を説明する図である。
【図８】この発明の実施の形態１に係る上かごが昇降路中心より上側に停止し下かごが昇降路中心より下側に停止した際の上下のかごの走行方向を説明する図である。
【図９】この発明の実施の形態１に係るエレベーターの制御装置の動作を示すフロー図である。
【図１０】この発明の実施の形態１に係るエレベーターの制御装置の動作を示すフロー図である。
【発明を実施するための形態】
【０００９】
この発明を添付の図面に従い説明する。各図を通じて同符号は同一部分又は相当部分を示しており、その重複説明は適宜に簡略化又は省略する。
【００１０】
実施の形態１．
図１から図１０は、この発明の実施の形態１に係るもので、図１はエレベーターの制御装置を備えたワンシャフトマルチカー方式のエレベーターの全体構成を模式的に示す図、図２は各台制御装置の構成を示す図、図３はワンシャフトマルチカー方式のエレベーターにおける上下のかごの位置とかご及び釣合い重りの走行方向との関係を説明する図、図４は上下のかごが昇降路中心より上側に停止した際のパターンを説明する図、図５は図４の各パターンにおける上下のかごの走行方向を説明する図、図６は上下のかごが昇降路中心より下側に停止した際のパターンを説明する図、図７は図６の各パターンにおける上下のかごの走行方向を説明する図、図８は上かごが昇降路中心より上側に停止し下かごが昇降路中心より下側に停止した際の上下のかごの走行方向を説明する図、図９及び図１０はエレベーターの制御装置の動作を示すフロー図である。
【００１１】
図１において、１は、エレベーターが設置される建築物内に立設された昇降路である。この昇降路１内には、乗客や荷物等を積載して昇降する上かご２ａが配設されている。この上かご２ａの上端には上かご主ロープ３ａの一端が連結されている。この上かご主ロープ３ａの他端は上かご釣合い重り４ａの上端に連結されている。上かご釣合い重り４ａは昇降路１内に昇降自在に配設されている。
【００１２】
上かご主ロープ３ａの中間部は、昇降路の頂部に設けられた図示しない機械室内に設置された上かご巻上機５ａの駆動シーブに巻き掛けられている。このようにして、上かご２ａ及び上かご釣合い重り４ａは、上かご主ロープ３ａによって昇降路１内で互いに相反する方向に昇降自在なつるべ状に吊持されている。
【００１３】
昇降路１内には、上かご２ａに加え、下かご２ｂも昇降自在に配設されている。この下かご２ｂも、上かご２ａと同様にして、下かご釣合い重り４ｂと昇降路１内で互いに相反する方向に昇降自在なつるべ状に吊持されている。すなわち、下かご主ロープ３ｂの一端が下かご２ｂの上端に、他端が下かご釣合い重り４ｂの上端にそれぞれ連結され、下かご主ロープ３ｂの中間部は下かご巻上機５ｂの駆動シーブに巻き掛けられている。
【００１４】
上かご２ａは昇降路１内において下かご２ｂから見て相対的に上側に配設されている。したがって、上かご２ａは常に昇降路１における下かご２ｂよりも上側にあり、逆に下かご２ｂは上かご２ａよりも常に昇降路１における下側にある。このように、この発明に係るエレベーターの制御装置が制御対象とするエレベーターは、１つの昇降路１内に複数のかごである上かご２ａ及び下かご２ｂがそれぞれ独立して昇降することができるように配設されたワンシャフトマルチカー方式のエレベーターである。
【００１５】
上かご２ａ及び下かご２ｂの運行を含むワンシャフトマルチカー方式のエレベーターの運転動作の全般は、群管理装置６並びに上かご各台制御装置７ａ及び下かご各台制御装置７ｂにより制御される。
【００１６】
群管理装置６は、１つの昇降路１内に配設された上かご２ａ及び下かご２ｂを一群として取り扱い、上かご２ａと下かご２ｂとの衝突を回避するように運行管理する。この群管理装置６では、主に同じ昇降路１内の上かご２ａ及び下かご２ｂの双方に共通して用いられる制御情報を取り扱う。
【００１７】
上かご各台制御装置７ａ及び下かご各台制御装置７ｂは群管理装置６の下位装置にあたり、上位装置である群管理装置６からの情報に従って、上かご各台制御装置７ａは上かご２ａの運転動作を、下かご各台制御装置７ｂは下かご２ｂの運転動作を、それぞれ制御する。なお、各台制御装置は、複数のかごのそれぞれに対応して、かごと同数だけ設けられる（ここでは２台）。
【００１８】
上かご２ａ及び下かご２ｂは、当該エレベーターが設置された建築物における複数の階床間にわたって、昇降路１内を昇降する。ここで、上かご２ａ及び下かご２ｂの昇降範囲においては、急行ゾーン８と戸開可能階９とが設定されている。急行ゾーン８とは、出入口が存在していない、あるいは、セキュリティ上の事情により乗客の乗り降りが制限されている等の理由により戸開不可となっている階が連続して存在しているゾーンである。
【００１９】
さらに厳密に言えば、急行ゾーン８とは、次に述べる地震感知器１４によりＰ波が感知された後、戸開可能な最寄階に上かご２ａ又は下かご２ｂが着床するまでに概ね１０秒を超える部分である。また、これに対し、戸開可能階９は、上かご２ａ又は下かご２ｂが停止して戸開することが可能な階である。
【００２０】
ここで、前述したように、下かご２ｂは上かご２ａよりも上側にはいくことができない。このため、上かご２ａが停止可能な最も上の階床は最上階１０となるが、下かご２ｂが停止可能な最も上の階床は最上階隣接階１１である。同様の事情により、下かご２ｂが停止可能な最も下の階床は最下階１２であり、上かご２ａが停止可能な最も下の階床は最下階隣接階１３である。
【００２１】
当該エレベーターが設置された建築物には、地震感知器１４が設置されている。この地震感知器１４は地震の初期微動を引き起こすＰ波（Ｐｒｉｍａｒｙ  ｗａｖｅ）と地震の主要動を引き起こすＳ波（Ｓｅｃｏｎｄａｒｙ  ｗａｖｅ）のそれぞれを感知することができる。またＳ波に関しては加速度が比較的に小さい「低」ガルと加速度が比較的に大きい「高」ガルの２種類の閾値が設定されている。まとめると、地震感知器１４は、Ｐ波、Ｓ波「低」ガル及びＳ波「高」ガルの３種類について感知することが可能である。
【００２２】
地震感知器１４による地震感知信号は、群管理装置６と各台制御装置（上かご各台制御装置７ａ及び下かご各台制御装置７ｂ）へと入力される。地震感知器１４によりＰ波が感知されると、上かご２ａ及び下かご２ｂは最寄りの戸開可能階９（最上階１０、最上階隣接階１１、最下階１２及び最下階隣接階１３を含む。以下同じ）に停止される。
【００２３】
また、地震感知器１４によりＳ波「高」ガルが感知されると、上かご２ａ及び／又は下かご２ｂが１０秒程度の走行で戸開可能階９に着床することが可能である場合には、上かご２ａ及び／又は下かご２ｂは当該戸開可能階９に停止される。一方、１０秒程度の走行で戸開可能階９に着床することができない場合には、上かご２ａ及び／又は下かご２ｂは、急行ゾーン８内において非常停止される。
【００２４】
次に、図２を参照しながら、各台制御装置（上かご各台制御装置７ａ及び下かご各台制御装置７ｂ）について説明する。なお、以下においては、各台制御装置を代表して上かご各台制御装置７ａ、かごを代表して上かご２ａについて説明するが、下かご各台制御装置７ｂ及び下かご２ｂについても全く同様である。
【００２５】
図示しないエレベーターの監視盤には、地震時低速運転スイッチ１５が設けられている。この地震時低速運転スイッチ１５は、地震感知器１４によりＳ波「高」ガルが感知され、上かご２ａが急行ゾーン８内において非常停止した場合に、かごを低速で最寄りの戸開可能階９まで走行させてかご内の乗客を救出する救出運転を行うためのスイッチである。この地震時低速運転スイッチ１５は、上かご２ａと下かご２ｂのそれぞれに対応して設けられている。
【００２６】
この地震時低速運転スイッチ１５が入れられた際の信号は、上かご各台制御装置７ａが備える各台制御装置外部入力手段１６を介して上かご各台制御装置７ａに入力される。なお、ここでは図示を省略しているが、地震感知器１４から出力される地震感知信号も各台制御装置外部入力手段１６から上かご各台制御装置７ａに入力される。
【００２７】
上かご各台制御装置７ａは、各台制御装置外部入力手段１６の他、群管理通信監視手段１７、停止位置判定手段１８、ドアゾーン内外判定手段１９、救出階判定手段２０、乗客救出完了判定手段２１及び走行方法選択手段２２を備えている。
【００２８】
群管理通信監視手段１７は、上かご各台制御装置７ａと群管理装置６との間で必要な情報の通信を行うためのものである。この群管理通信監視手段１７は、群管理装置６から送信された情報に基づいて、エレベーターの各号機、すなわち、ここでは上かご２ａ、の動作制御内容を決定する。
【００２９】
停止位置判定手段１８は、上かご２ａの昇降路１内における位置を判定する。この判定は、上かご２ａが、昇降路１の昇降方向における中心よりも、上側にいるのかあるいは下側にいるのかについて行われる。そして、停止位置判定手段１８は、こうして判定した上かご２ａの停止位置に基づいて、上かご２ａの救出運転方向を決定する。
【００３０】
この上かご２ａの位置に基づく上かご２ａの救出運転方向の決定について図３を参照しながら説明する。地震感知器１４の作動により非常停止したエレベーターの救出運転を行う場合、地震の揺れによりかごと釣合い重りとが干渉してしまうことを未然に防止する観点から、かごと釣合い重りとが互いに離れる方向へとかごを走行させることが望ましい。
【００３１】
具体的には、まず、上かご２ａ（下かご２ｂ）が昇降路１の中心よりも上側に停止した場合、図３の左側の図に示すように、上かご２ａ（下かご２ｂ）の走行方向を上方向にすれば、上かご２ａ（下かご２ｂ）と上かご釣合い重り４ａ（下かご釣合い重り４ｂ）との距離を離すことができる。また、上かご２ａ（下かご２ｂ）が昇降路１の中心よりも下側に停止した場合は、先ほどとは逆に、図３の右側の図に示すように、上かご２ａ（下かご２ｂ）の走行方向を下方向にすれば、上かご２ａ（下かご２ｂ）と上かご釣合い重り４ａ（下かご釣合い重り４ｂ）との距離を離すことができる。
【００３２】
したがって、停止位置判定手段１８は、上かご２ａが昇降路１の上半分の位置で停止している場合、上かご２ａの救出運転方向を上方向に決定する。また、上かご２ａが昇降路１の下半分の位置で停止している場合には、上かご２ａの救出運転方向を下方向に決定する。
【００３３】
ドアゾーン内外判定手段１９は、上かご２ａの停止位置が予め設定されたドアゾーン内であるのかドアゾーン外であるのかを判定する。上かご２ａが戸開することができる停止位置の範囲である。ドアゾーンはそれぞれの戸開可能階９毎に設定される。
【００３４】
救出階判定手段２０は、停止位置判定手段１８による判定結果及び決定内容並びにドアゾーン内外判定手段１９による判定結果に基づいて、救出運転において上かご２ａを走行させる目的階となる救出階を決定する。具体的には、上かご２ａの現在の停止位置が戸開可能階９のドアゾーン内であるとドアゾーン内外判定手段１９により判定された場合には、上かご２ａの現在停止している当該戸開可能階９を救出階に決定する。
【００３５】
一方、上かご２ａの現在の停止位置がドアゾーン外であるとドアゾーン内外判定手段１９により判定された場合には、上かご２ａの現在の停止位置から、停止位置判定手段１８により決定された救出運転方向において最寄りの戸開可能階９を救出階に決定する。
【００３６】
なお、後述するように群管理装置６から救出階の変更指令が出ている場合には、変更指令の方が優先され、群管理装置６から指令されたものに救出階を変更する。
【００３７】
乗客救出完了判定手段２１は、上かご２ａ内の乗客の救出が完了したか否かを判定する。具体的には、上かご２ａが救出階に停止し、この救出階において一定時間の間戸開した後に戸閉が完了した場合に、上かご２ａ内の乗客を当該救出階へと降ろし終わり救出が完了したものと判定する。
【００３８】
走行方法選択手段２２は、上かご２ａの走行方法を通常走行及び低速走行のうちから選択する。通常走行は、例えば、地震感知器１４によって地震が感知されていない通常時において選択される。低速走行は、地震感知器１４の作動によって非常停止した上かご２ａを救出階まで救出運転する場合に選択される。
【００３９】
走行方法選択手段２２は、通常走行手段２２ａ及び低速走行手段２２ｂを備えている。通常走行手段２２ａは、上かご２ａの走行方法として通常走行が選択された場合に、上かご２ａを通常走行させるためのものである。具体的に例えば、かご呼びや乗場呼びの登録に対して応答させるための上かご２ａの走行を制御する。
【００４０】
低速走行手段２２ｂは、上かご２ａの走行方法として低速走行が選択された場合に、上かご２ａを通常走行時よりも低速で救出階まで走行させるためのものである。低速走行手段２２ｂは、まず、群管理通信監視手段１７における群管理装置６との通信が正常に行われているか否かを確認する。群管理装置６との通信が正常に行われていない場合には、群管理装置６による管理制御下での適切な救出運転を実施することが難しいため、上かご２ａの救出運転は行わない。
【００４１】
一方、群管理装置６との通信が正常に行われている場合には、地震時低速運転スイッチ１５がオンでありかつ図示しない上かご２ａ内の戸閉ボタンが押下されているとき、又は、群管理装置６から起動指令があるときに救出階判定手段２０により決定された救出階の方向へと上かご２ａを低速で走行させる救出運転を行う。なお、群管理装置６から起動阻止指令がある場合には、救出運転を行わない。
【００４２】
なお、停止位置判定手段１８により判定された上かご２ａの停止位置及び救出運転方向、ドアゾーン内外判定手段１９による判定結果、救出階判定手段２０により決定された救出階、並びに、乗客救出完了判定手段による判定結果は、群管理通信監視手段１７を介して群管理装置６へと送信される。
【００４３】
再び図１を参照しながら、群管理装置６について説明する。群管理装置６は、群管理装置外部入力手段２３、救出階変更手段２４、起動阻止かご判定手段２５及び同時走行かご判定手段２６を備えている。
【００４４】
群管理装置外部入力手段２３は、昇降路１内の各号機である上かご２ａ及び下かご２ｂについて共通の情報を入力するためのものである。ここでは、地震感知器１４から出力される地震感知信号が入力される。
【００４５】
救出階変更手段２４は、地震感知器１４からＳ波「高」ガル感知信号が入力された場合に、上かご各台制御装置７ａにより決定された上かご２ａの救出階と、下かご各台制御装置７ｂにより決定された下かご２ｂの救出階とを比較する。そして、これらの救出階が同じであった場合、上かご２ａ及び下かご２ｂのうち当該救出階により近い位置にいる方のかごの救出階を、前記当該救出階よりも一階床だけ遠い階床に変更する救出階変更指令を出力する。
【００４６】
救出階変更手段２４は、上かご２ａ及び下かご２ｂのうちどちらが救出階により近い位置にあるのかを判断する必要がある。このため、救出階変更手段２４には、上かご位置検出手段２４ａ及び下かご位置検出手段２４ｂが備えられている。上かご位置検出手段２４ａは上かご各台制御装置７ａから送信された情報に基づいて昇降路１内における上かご２ａの位置を検出する。下かご位置検出手段２４ｂは下かご各台制御装置７ｂから送信された情報に基づいて昇降路１内における下かご２ｂの位置を検出する。
【００４７】
起動阻止かご判定手段２５は、地震感知器１４からＳ波「高」ガル感知信号が入力された場合に、上かご各台制御装置７ａにより決定された上かご２ａの救出階と、下かご各台制御装置７ｂにより決定された下かご２ｂの救出階とが同じであり、かつ、上かご２ａ及び下かご２ｂのいずれか一方が戸開可能階９のドアゾーン内に停止しているときは、前記一方のかごの乗客救出完了判定手段２１により乗客救出が完了したと判定されるまで、他方のかごの起動（すなわち走行）を阻止する起動阻止指令を出力する。
【００４８】
また、起動阻止かご判定手段２５は、地震感知器１４からＳ波「高」ガル感知信号が入力された場合に、上かご各台制御装置７ａにより決定された上かご２ａの救出運転方向と、下かご各台制御装置７ｂにより決定された下かご２ｂの救出運転方向とが異なるものであったときは、上かご２ａ及び下かご２ｂの両方のかごの起動（走行）を阻止する起動阻止指令を出力する。
【００４９】
同時走行かご判定手段２６は、地震感知器１４からＳ波「高」ガル感知信号が入力された場合に、上かご各台制御装置７ａにより決定された上かご２ａの救出階と、下かご各台制御装置７ｂにより決定された下かご２ｂの救出階とが同じであり、かつ、上かご２ａ及び下かご２ｂの両方が戸開可能階９のドアゾーン外に停止しているときは、当該救出階から遠い方のかごが走行すれば、当該救出階に近い方のかごに対して走行指令を出力する。また、さらに、これとは逆に、当該救出階に近い方のかごが走行開始したときに、当該救出階から遠い方のかごに対して走行指令を出力するようにしてもよい。
【００５０】
以上のように構成された群管理装置６及び各台制御装置（上かご各台制御装置７ａ、下かご各台制御装置７ｂ）を備えたエレベーターの制御装置において、地震感知器１４の動作により上かご２ａ及び下かご２ｂが停止された後、具体的にどのようにして救出運転が行われることになるのかを、場合を分けて説明する。
【００５１】
まず、上かご２ａ及び下かご２ｂの双方が昇降路１の中心よりも上側に停止した場合について図４及び図５を参照しながら説明する。上かご２ａ及び下かご２ｂの双方が昇降路１の中心よりも上側に停止した場合、停止位置判定手段１８により決定される救出運転方向は、原則として上かご２ａ及び下かご２ｂの双方とも上方向となる。
【００５２】
上かご２ａが最上階隣接階１１のドアゾーン内に停止し、かつ、下かご２ｂが戸開可能階９のドアゾーン内に停止した場合（パターン１）、上かご２ａ及び下かご２ｂのいずれもがドアゾーン内に停止しているため、救出階判定手段２０は、それぞれのかごが現在停止している階をそれぞれのかごの救出階に決定する。具体的には、上かご２ａの救出階は最上階隣接階１１であり、下かご２ｂの救出階は下かご２ｂが現在停止している戸開可能階９である。
【００５３】
この場合には、上かご２ａ及び下かご２ｂのいずれもが既に救出階に停止しているため、停止位置判定手段１８は、上かご２ａ及び下かご２ｂのいずれについても救出運転方向を「なし」に決定する。よって、救出運転を行う必要はなくエレベーターは運転休止される。
【００５４】
上かご２ａが最上階隣接階１１のドアゾーン内に停止し、かつ、下かご２ｂが急行ゾーン８に停止した場合であって、上かご２ａと下かご２ｂとの間に戸開可能階９が存在しない場合（パターン２）、上かご２ａはドアゾーン内に停止しているため、救出階判定手段２０は、上かご２ａの救出階を現在停止している最上階隣接階１１に決定する。一方、下かご２ｂは急行ゾーン８のドアゾーン外に停止しているため、救出階判定手段２０は、下かご２ｂの救出階を下かご２ｂの停止位置より上方側の戸開可能階９である最上階隣接階１１に決定する。
【００５５】
この場合、上かご２ａの救出階と下かご２ｂの救出階とがいずれも最上階隣接階１１となり同一である。したがって、救出階変更手段２４は、上かご２ａ及び下かご２ｂのうち当該救出階により近い位置にいる方のかごの救出階を、前記当該救出階よりも一階床だけ遠い階床に変更する。この場合には、救出階により近い位置にいるのは救出階である最上階隣接階１１に停止している上かご２ａである。そこで、救出階変更手段２４は、上かご２ａの救出階を、最上階１０に変更する。この変更内容は救出階変更指令として上かご各台制御装置７ａへと送られる。これを受けた上かご各台制御装置７ａの救出階判定手段２０は、受信した救出階変更指令に従って上かご２ａの救出階を最上階１０に変更する。
【００５６】
また、上かご２ａの救出階と下かご２ｂの救出階とがいずれも最上階隣接階１１となり同一であり、かつ、上かご２ａが戸開可能階９である最上階隣接階１１のドアゾーン内に停止していることになるため、起動阻止かご判定手段２５は、かごの乗客救出完了判定手段２１により上かご２ａの乗客救出が完了したと判定されるまで、下かご２ｂに対して起動阻止指令を出力する。
【００５７】
上かご２ａでの乗客救出が完了すると、起動阻止かご判定手段２５から出されていた下かご２ｂに対する起動阻止指令が解除される。そして、上かご２ａは変更された救出階である最上階１０へと走行を開始し、下かご２ｂは救出階である最上階隣接階１１へと走行を開始する。
【００５８】
上かご２ａが最上階隣接階１１のドアゾーン内に停止し、かつ、下かご２ｂが急行ゾーン８に停止した場合であって、上かご２ａと下かご２ｂとの間に戸開可能階９が存在する場合（パターン３）、上かご２ａはドアゾーン内に停止しているため、救出階判定手段２０は、上かご２ａの救出階を現在停止している最上階隣接階１１に決定する。一方、下かご２ｂは急行ゾーン８のドアゾーン外に停止しているため、救出階判定手段２０は、下かご２ｂの救出階を下かご２ｂの停止位置より上方側の戸開可能階９に決定する。
【００５９】
この場合、上かご２ａの救出階と下かご２ｂの救出階は異なる。したがって、上かご２ａはそのまま救出階である最上階隣接階１１に停止を続ける。下かご２ｂは救出階である戸開可能階９へと向けて上方向に救出運転が行われる。
【００６０】
上かご２ａが急行ゾーン８に停止し、かつ、下かご２ｂが戸開可能階９のドアゾーン内に停止した場合（パターン４）は、上かご２ａは急行ゾーン８のドアゾーン外に停止しているため、救出階判定手段２０は、上かご２ａの救出階を上かご２ａの停止位置より上方側の戸開可能階９である最上階隣接階１１に決定する。一方、下かご２ｂはドアゾーン内に停止しているため、救出階判定手段２０は、下かご２ｂの救出階を現在停止している戸開可能階９に決定する。
【００６１】
この場合も、上かご２ａの救出階と下かご２ｂの救出階は異なる。したがって、上かご２ａは救出階である最上階隣接階１１へと向けて上方向に救出運転が行われる。下かご２ｂはそのまま救出階である戸開可能階９に停止を続ける。
【００６２】
上かご２ａ及び下かご２ｂの双方が急行ゾーン８に停止し、かつ、上かご２ａと下かご２ｂとの間に戸開可能階９が存在する場合（パターン５）、上かご２ａは急行ゾーン８のドアゾーン外に停止しているため、救出階判定手段２０は、上かご２ａの救出階を上かご２ａの停止位置より上方側の最上階隣接階１１に決定する。下かご２ｂも急行ゾーン８のドアゾーン外に停止しているため、救出階判定手段２０は、下かご２ｂの救出階を下かご２ｂの停止位置より上方側の戸開可能階９に決定する。
【００６３】
この場合も、上かご２ａの救出階と下かご２ｂの救出階は異なる。したがって、上かご２ａは救出階である最上階隣接階１１へと向けて上方向に救出運転が行われる。下かご２ｂは救出階である戸開可能階９へと向けて上方向に救出運転が行われる。
【００６４】
上かご２ａ及び下かご２ｂの双方が急行ゾーン８に停止し、かつ、上かご２ａと下かご２ｂとの間に戸開可能階９が存在しない場合（パターン６）、上かご２ａは急行ゾーン８のドアゾーン外に停止しているため、救出階判定手段２０は、上かご２ａの救出階を上かご２ａの停止位置より上方側の最上階隣接階１１に決定する。下かご２ｂも急行ゾーン８のドアゾーン外に停止しているため、救出階判定手段２０は、下かご２ｂの救出階を下かご２ｂの停止位置より上方側の最上階隣接階１１に決定する。
【００６５】
この場合、上かご２ａの救出階と下かご２ｂの救出階とがいずれも最上階隣接階１１となり同一である。したがって、救出階変更手段２４は、上かご２ａ及び下かご２ｂのうち当該救出階により近い位置にいる方のかごの救出階を、前記当該救出階よりも一階床だけ遠い階床に変更する。この場合には、救出階により近い位置にいるのは上かご２ａである。そこで、救出階変更手段２４は、上かご２ａの救出階を、最上階隣接階１１から最上階１０に変更する。この変更内容は救出階変更指令として上かご各台制御装置７ａへと送られる。これを受けた上かご各台制御装置７ａの救出階判定手段２０は、受信した救出階変更指令に従って上かご２ａの救出階を最上階１０に変更する。
【００６６】
また、上かご２ａの救出階と下かご２ｂの救出階とがいずれも最上階隣接階１１となり同一であり、かつ、上かご２ａ及び下かご２ｂの両方がドアゾーン外に停止していることになるため、同時走行かご判定手段２６は、当該救出階から遠い方のかごである下かご２ｂが走行すれば、当該救出階に近い方のかごである上かご２ａに対して走行指令を出力する。最終的に上かご２ａは変更された救出階である最上階１０まで救出運転され、下かご２ｂは救出階である最上階隣接階１１まで救出運転される。
【００６７】
次に、上かご２ａ及び下かご２ｂの双方が昇降路１の中心よりも下側に停止した場合について図６及び図７を参照しながら説明する。上かご２ａ及び下かご２ｂの双方が昇降路１の中心よりも下側に停止した場合、停止位置判定手段１８により決定される救出運転方向は、原則として上かご２ａ及び下かご２ｂの双方とも下方向となる。
【００６８】
下かご２ｂが最下階１２のドアゾーン内に停止し、かつ、上かご２ａが戸開可能階９のドアゾーン内に停止した場合（パターン１）、上かご２ａ及び下かご２ｂのいずれもがドアゾーン内に停止しているため、救出階判定手段２０は、それぞれのかごが現在停止している階をそれぞれのかごの救出階に決定する。具体的には、上かご２ａの救出階は現在停止している戸開可能階９であり、下かご２ｂの救出階は最下階１２である。
【００６９】
この場合には、上かご２ａ及び下かご２ｂのいずれもが既に救出階に停止しているため、停止位置判定手段１８は、上かご２ａ及び下かご２ｂのいずれについても救出運転方向を「なし」に決定する。よって、救出運転を行う必要はなく、エレベーターの運転は休止される。
【００７０】
下かご２ｂが最下階隣接階１３のドアゾーン内に停止し、かつ、上かご２ａが急行ゾーン８に停止した場合であって、下かご２ｂと上かご２ａとの間に戸開可能階９が存在しない場合（パターン２）、下かご２ｂはドアゾーン内に停止しているため、救出階判定手段２０は、下かご２ｂの救出階を現在停止している最下階隣接階１３に決定する。一方、上かご２ａは急行ゾーン８のドアゾーン外に停止しているため、救出階判定手段２０は、上かご２ａの救出階を上かご２ａの停止位置より下方側の戸開可能階９である最下階隣接階１３に決定する。
【００７１】
この場合、下かご２ｂの救出階と上かご２ａの救出階とがいずれも最下階隣接階１３となり同一である。したがって、救出階変更手段２４は、下かご２ｂ及び上かご２ａのうち当該救出階により近い位置にいる方のかごの救出階を、前記当該救出階よりも一階床だけ遠い階床に変更する。この場合には、救出階により近い位置にいるのは救出階である最下階隣接階１３に停止している下かご２ｂである。そこで、救出階変更手段２４は、下かご２ｂの救出階を、最下階１２に変更する。この変更内容は救出階変更指令として下かご各台制御装置７ｂへと送られる。これを受けた下かご各台制御装置７ｂの救出階判定手段２０は、受信した救出階変更指令に従って下かご２ｂの救出階を最下階１２に変更する。
【００７２】
また、下かご２ｂの救出階と上かご２ａの救出階とがいずれも最下階隣接階１３となり同一であり、かつ、下かご２ｂが戸開可能階９である最下階隣接階１３のドアゾーン内に停止していることになるため、起動阻止かご判定手段２５は、かごの乗客救出完了判定手段２１により下かご２ｂの乗客救出が完了したと判定されるまで、上かご２ａに対して起動阻止指令を出力する。
【００７３】
下かご２ｂでの乗客救出が完了すると、起動阻止かご判定手段２５から出されていた上かご２ａに対する起動阻止指令が解除される。そして、下かご２ｂは変更された救出階である最下階１２へと走行を開始し、上かご２ａは救出階である最下階隣接階１３へと走行を開始する。
【００７４】
下かご２ｂが最下階隣接階１３のドアゾーン内に停止し、かつ、上かご２ａが急行ゾーン８に停止した場合であって、下かご２ｂと上かご２ａとの間に戸開可能階９が存在する場合（パターン３）、下かご２ｂはドアゾーン内に停止しているため、救出階判定手段２０は、下かご２ｂの救出階を現在停止している最下階隣接階１３に決定する。一方、上かご２ａは急行ゾーン８のドアゾーン外に停止しているため、救出階判定手段２０は、上かご２ａの救出階を上かご２ａの停止位置より下方側の戸開可能階９に決定する。
【００７５】
この場合、下かご２ｂの救出階と上かご２ａの救出階は異なる。したがって、下かご２ｂはそのまま救出階である最下階隣接階１３に停止を続ける。上かご２ａは救出階である戸開可能階９へと向けて下方向に救出運転が行われる。
【００７６】
下かご２ｂが急行ゾーン８に停止し、かつ、上かご２ａが戸開可能階９のドアゾーン内に停止した場合（パターン４）は、下かご２ｂは急行ゾーン８のドアゾーン外に停止しているため、救出階判定手段２０は、下かご２ｂの救出階を下かご２ｂの停止位置より下方側の戸開可能階９である最下階隣接階１３に決定する。一方、上かご２ａはドアゾーン内に停止しているため、救出階判定手段２０は、上かご２ａの救出階を現在停止している戸開可能階９に決定する。
【００７７】
この場合も、下かご２ｂの救出階と上かご２ａの救出階は異なる。したがって、下かご２ｂは救出階である最下階隣接階１３へと向けて下方向に救出運転が行われる。上かご２ａはそのまま救出階である戸開可能階９に停止を続ける。
【００７８】
下かご２ｂ及び上かご２ａの双方が急行ゾーン８に停止し、かつ、下かご２ｂと上かご２ａとの間に戸開可能階９が存在する場合（パターン５）、下かご２ｂは急行ゾーン８のドアゾーン外に停止しているため、救出階判定手段２０は、下かご２ｂの救出階を下かご２ｂの停止位置より下方側の最下階隣接階１３に決定する。上かご２ａも急行ゾーン８のドアゾーン外に停止しているため、救出階判定手段２０は、上かご２ａの救出階を上かご２ａの停止位置より下方側の戸開可能階９に決定する。
【００７９】
この場合も、下かご２ｂの救出階と上かご２ａの救出階は異なる。したがって、下かご２ｂは救出階である最下階隣接階１３へと向けて下方向に救出運転が行われる。上かご２ａは救出階である戸開可能階９へと向けて下方向に救出運転が行われる。
【００８０】
下かご２ｂ及び上かご２ａの双方が急行ゾーン８に停止し、かつ、下かご２ｂと上かご２ａとの間に戸開可能階９が存在しない場合（パターン６）、下かご２ｂは急行ゾーン８のドアゾーン外に停止しているため、救出階判定手段２０は、下かご２ｂの救出階を下かご２ｂの停止位置より下方側の最下階隣接階１３に決定する。上かご２ａも急行ゾーン８のドアゾーン外に停止しているため、救出階判定手段２０は、上かご２ａの救出階を上かご２ａの停止位置より下方側の最下階隣接階１３に決定する。
【００８１】
この場合、下かご２ｂの救出階と上かご２ａの救出階とがいずれも最下階隣接階１３となり同一である。したがって、救出階変更手段２４は、下かご２ｂ及び上かご２ａのうち当該救出階により近い位置にいる方のかごの救出階を、前記当該救出階よりも一階床だけ遠い階床に変更する。この場合には、救出階により近い位置にいるのは下かご２ｂである。そこで、救出階変更手段２４は、下かご２ｂの救出階を、最下階隣接階１３から最下階１２に変更する。この変更内容は救出階変更指令として下かご各台制御装置７ｂへと送られる。これを受けた下かご各台制御装置７ｂの救出階判定手段２０は、受信した救出階変更指令に従って下かご２ｂの救出階を最下階１２に変更する。
【００８２】
また、下かご２ｂの救出階と上かご２ａの救出階とがいずれも最下階隣接階１３となり同一であり、かつ、下かご２ｂ及び上かご２ａの両方がドアゾーン外に停止していることになるため、同時走行かご判定手段２６は、当該救出階から遠い方のかごである上かご２ａが走行すれば、当該救出階に近い方のかごである下かご２ｂに対して走行指令を出力する。最終的に下かご２ｂは変更された救出階である最下階１２まで救出運転され、上かご２ａは救出階である最下階隣接階１３まで救出運転される。
【００８３】
最後に、上かご２ａ及び下かご２ｂの一方が昇降路１の中心よりも上側に停止し、かつ、他方が昇降路１の中心よりも下側に停止した場合について図８を参照しながら説明する。この場合には、上かご各台制御装置７ａにより決定される上かご２ａの救出運転方向と下かご各台制御装置７ｂにより決定される下かご２ｂの救出運転方向とは、互いに異なる方向となる。
【００８４】
図８の左側に示す図は、昇降路１の中心よりも上側に上かご２ａが停止し、この上かご２ａよりもさらに上側に下かご釣合い重り４ｂが停止した状態を示すものである。この状態においては、上かご２ａと上かご釣合い重り４ａとの間の距離を離すためには、上かご２ａを上方向へと走行させる必要がある。しかし、上かご２ａよりも上側に下かご釣合い重り４ｂが停止しているため、上かご２ａを上方向へと走行させると上かご２ａと下かご釣合い重り４ｂとの間の距離が狭くなり、上かご２ａと下かご釣合い重り４ｂとが接触等してしまう可能性が上昇する。下かご２ｂと上かご釣合い重り４ａとの関係についても同様である。
【００８５】
また、図８の右側に示す場合においては、昇降路１の中心よりも下側に停止した下かご２ｂよりも、さらに下側に上かご釣合い重り４ａが停止している。このため、下かご２ｂを下方向へと走行させると下かご２ｂと上かご釣合い重り４ａとの間の距離が狭くなり、上かご２ａと下かご釣合い重り４ｂとが接触等してしまう可能性が上昇する。
【００８６】
したがって、上かご２ａ及び下かご２ｂの一方が昇降路１の中心よりも上側に停止し、かつ、他方が昇降路１の中心よりも下側に停止した場合、すなわち、上かご各台制御装置７ａにより決定された上かご２ａの救出運転方向と下かご各台制御装置７ｂにより決定された下かご２ｂの救出運転方向とが異なる場合には、上かご２ａ及び下かご２ｂの両方に対して起動阻止指令を出力し、救出運転が行われないようにする。
【００８７】
以上のように構成された群管理装置６及び各台制御装置（上かご各台制御装置７ａ、下かご各台制御装置７ｂ）を備えたエレベーターの制御装置の動作を、図９及び図１０を参照しながら説明する。なお、図９は当該動作を示すフローの前半部分、図１０は当該動作を示すフローの後半部分になっており、これらの図９及び図１０を合わせることで一連のフローとなる。
【００８８】
まず、地震が発生すると（ステップＳ０）、群管理装置６は地震感知器１４によりＰ波が感知されたた否かを確認する。地震感知器１４によりＰ波が感知されない場合には、ステップＳ２へと進む。このステップＳ２においては、群管理装置６はエレベーターの通常運転を継続する。ステップＳ２の後は図９中の（Ｂ）へと至る。この（Ｂ）は、次の図１０の同符号と対応している。したがって、図９中の（Ｂ）へと至ると、一連の動作フローは終了となる。
【００８９】
一方、ステップＳ１で地震感知器１４によりＰ波が感知された場合にはステップＳ３へと進む。このステップＳ３においては、群管理装置６は地震感知器１４によりＳ波「低」ガルが感知されたか否かを確認する。Ｓ波「低」ガルが感知されない場合には、ステップＳ４へと進む。このステップＳ４においては、群管理装置６は上かご２ａ及び下かご２ｂの運転を休止する。ステップＳ４の後は図９中の（Ｂ）へと至り、一連の動作フローは終了となる。
【００９０】
一方、ステップＳ３で地震感知器１４によりＳ波「低」ガルが感知された場合にはステップＳ５へと進む。このステップＳ５においては、群管理装置６は地震感知器１４によりＳ波「高」ガルが感知されたた否かを確認する。Ｓ波「高」ガルが感知されない場合には、ステップＳ６へと進む。このステップＳ６においては、群管理装置６は上かご２ａ及び下かご２ｂの運転を休止する。ステップＳ６の後は図９中の（Ｂ）へと至り、一連の動作フローは終了となる。
【００９１】
一方、ステップＳ５で地震感知器１４によりＳ波「高」ガルが感知された場合にはステップＳ７へと進む。このステップＳ５においては、群管理装置６は上かご２ａ及び下かご２ｂのうち急行ゾーン８に停止したものがあるか否かを確認する。急行ゾーン８に停止したかごがない場合にはステップＳ８へと進む。このステップＳ８においては、急行ゾーン８に停止したかごがなく、上かご２ａ及び下かご２ｂのいずれも戸開可能階９に停止しておりかご内から乗客の避難は可能であると判断して、群管理装置６は上かご２ａ及び下かご２ｂの運転を休止する。ステップＳ６の後は図９中の（Ｂ）へと至り、一連の動作フローは終了となる。
【００９２】
一方、ステップＳ７で急行ゾーン８に停止したかごある場合には、ステップＳ９へと進む。このステップＳ９においては、上かご各台制御装置７ａ及び下かご各台制御装置７ｂは、群管理通信監視手段１７における群管理装置６との通信が正常に行われているか否かを確認する。群管理装置６との通信が正常に行われていない場合にはステップＳ１０へと進む。このステップＳ１０においては、上かご２ａ及び下かご２ｂの運転は停止される。そして、図９中の（Ｂ）へと至り、一連の動作フローは終了となる。
【００９３】
一方、ステップＳ９で群管理通信監視手段１７における群管理装置６との通信が正常に行われている場合には、ステップＳ１１へと進む。このステップＳ１１においては、起動阻止かご判定手段２５は、上かご各台制御装置７ａにより決定された上かご２ａの救出運転方向と、下かご各台制御装置７ｂにより決定された下かご２ｂの救出運転方向とが反対方向であるか否かを確認する。
【００９４】
上かご２ａの救出運転方向と下かご２ｂの救出運転方向とが反対方向である場合には、ステップＳ１２へと進む。このステップＳ１２においては、起動阻止かご判定手段２５は、上かご各台制御装置７ａ及び下かご各台制御装置７ｂに起動阻止指令を送信し、上かご２ａ及び下かご２ｂの運転が停止される。そして、図９中の（Ｂ）へと至り、一連の動作フローは終了となる。
【００９５】
一方、ステップＳ１１で上かご２ａの救出運転方向と下かご２ｂの救出運転方向とが同方向である場合には、図９中の（Ａ）へと至る。図９中の（Ａ）へと至ると、図１０中の同符号である（Ａ）からステップＳ１３へと進む。
【００９６】
このステップＳ１３においては、救出階変更手段２４は、上かご各台制御装置７ａにより決定された上かご２ａの救出階と、下かご各台制御装置７ｂにより決定された下かご２ｂの救出階とが同じであるか否かを確認する。上かご２ａの救出階と下かご２ｂの救出階とが同じでない場合にはステップＳ１４へと進む。
【００９７】
このステップＳ１４においては、ドアゾーン外に停止しているかごについて救出階まで救出運転を行う。この際、上かご２ａ及び下かご２ｂの双方がドアゾーン外に停止している場合であれば、両かごのそれぞれを独立させて救出運転を行う。上かご２ａ及び下かご２ｂの一方のみがドアゾーン外に停止している場合であれば、当該一方のかご単独で救出運転を行う  そして、救出運転が完了すればステップＳ１５へと進む。このステップＳ１５においては、上かご２ａ及び下かご２ｂの運転を停止した上で、一連の動作フローは終了となる。
【００９８】
一方、ステップＳ１３で上かご２ａの救出階と下かご２ｂの救出階とが同じであった場合にはステップＳ１６へと進む。このステップＳ１６においては、上かご２ａ及び下かご２ｂの両方ともがドアゾーン外に停止しているか否かを確認する。上かご２ａ及び下かご２ｂの一方のみがドアゾーン外に停止している場合には、ステップＳ１７へと進む。なお、ここでは、上かご２ａの救出階と下かご２ｂの救出階とが同じであるので、上かご２ａ及び下かご２ｂの両方ともがドアゾーン内に停止している場合は考えなくともよい。
【００９９】
ステップＳ１７においては、ドアゾーン内にあるかごの乗客救出完了判定手段２１により乗客救出が完了したと判定されたか否かを確認する。ドアゾーン内にあるかごの乗客救出が完了するまでは、ステップＳ１８へ進み、起動阻止かご判定手段２５からドアゾーン外のかごへと起動阻止指令が出力され、ドアゾーン外のかごの起動が阻止される。
【０１００】
そして、ステップＳ１７でドアゾーン内にあるかごの乗客救出が完了したと判定された場合には、ステップＳ１９へと進む。また、ステップＳ１６で上かご２ａ及び下かご２ｂの両方ともがドアゾーン外に停止していた場合には、ステップＳ１７及びＳ１８を経ることなくステップＳ１９へと進む。
【０１０１】
ステップＳ１９においては、救出階変更手段２４は、救出階により近い方のかごの救出階を１階床先の階へと変更する。そして、続くステップＳ２０において、群管理装置６の同時走行かご判定手段２６は、終端階により近い方のかごの地震時低速運転スイッチ１５がオンであるか否かを確認する。
【０１０２】
なお、終端階により近い方のかごとは、上かご２ａ及び下かご２ｂが昇降路１の中心より上側に停止した際は上かご２ａが該当し、上かご２ａ及び下かご２ｂが昇降路１の中心より下側に停止した際は下かご２ｂが該当する。
【０１０３】
ステップＳ２０で終端階により近い方のかごの地震時低速運転スイッチ１５がオンでない場合には、ステップＳ２１へと進む。このステップＳ２１においては、同時走行かご判定手段２６は、上かご２ａ及び下かご２ｂの双方とも走行不可と判定し、上かご２ａ及び下かご２ｂの双方の起動が阻止された後、一連の動作フローは終了となる。
【０１０４】
一方、ステップＳ２０で終端階により近い方のかごの地震時低速運転スイッチ１５がオンである場合には、ステップＳ２２へと進む。このステップＳ２２においては、同時走行かご判定手段２６は、さらに、終端階から遠い方のかごの地震時低速運転スイッチ１５がオンであるか否かを確認する。
【０１０５】
終端階から遠い方のかごの地震時低速運転スイッチ１５がオンでない場合には、ステップＳ２３へと進む。このステップＳ２３においては、終端階により近い方のかごのみが起動可能である。よって、終端階により近い方のかごの救出運転が行われた後、一連の動作フローは終了となる。
【０１０６】
一方、ステップＳ２２で終端階から遠い方のかごの地震時低速運転スイッチ１５もオンである場合には、ステップＳ２４へと進む。このステップＳ２４においては、上かご２ａ及び下かご２ｂの双方の起動可能である。したがって、同時走行かご判定手段２６は、上かご２ａ及び下かご２ｂのどちらか一方の走行が開始されると、他方のかごに対する走行指令を出力する。こうして、上かご２ａ及び下かご２ｂの双方で救出階までの救出運転が実施された後、一連の動作フローは終了となる。
【０１０７】
以上のように構成されたエレベーターの制御装置は、１つの昇降路内にそれぞれ独立して昇降可能に設けられた上かご及び下かごの両者のそれぞれについて、地震感知器により予め定められた基準以上の地震の発生を感知して急行ゾーンに停止した場合に、当該停止したかごの停止位置に基づいて当該かごの救出運転方向を決定する停止位置判定手段と、前記当該かごの停止位置及び救出運転方向に基づいて前記当該かごの救出階を決定する救出階判定手段と、前記両者の救出運転方向及び救出階が同一の場合に、前記両者のうち当該救出階に近いかごの救出階を、前記当該救出階より当該救出運転方向における１つ先の戸開可能階へと変更する救出階変更手段と、を備えたものである。
【０１０８】
このため、地震感知器により地震の発生を感知してかごが急行ゾーンに停止した場合に、かご同士の衝突及びかごと釣合い重りの干渉を回避しつつ適切な救出運転を行うことができる。
【０１０９】
また、前記両者の救出運転方向及び救出階が同一の場合であって、前記両者の一方が当該救出階への救出運転を開始したときに、前記両者の他方の救出運転を開始させる同時走行かご判定手段をさらに備えたものである。このため、上かご及び下かごの一方のかごの救出運転完了を待つことなく、かご同士の衝突を避けつつ他方のかごについても同時に救出運転を実施することができる。
【０１１０】
また、前記両者の救出運転方向及び救出階が同一であって、かつ、前記両者の一方が既に当該救出階に停止している場合に、前記一方での乗客救出が完了するまで前記両者の他方の救出運転を阻止する起動阻止手段（起動阻止かご判定手段２５）をさらに備えたものである。このため、乗客の救出のために現在救出階に停止中のかごに対して他のかごが衝突してしまうことを未然に防止することができる。
【符号の説明】
【０１１１】
１  昇降路、  ２ａ  上かご、  ２ｂ  下かご、  ３ａ  上かご主ロープ、  ３ｂ  下かご主ロープ、  ４ａ  上かご釣合い重り、  ４ｂ  下かご釣合い重り、  ５ａ  上かご巻上機、  ５ｂ  下かご巻上機、  ６  群管理装置、  ７ａ  上かご各台制御装置、  ７ｂ  下かご各台制御装置、  ８  急行ゾーン、  ９  戸開可能階、  １０  最上階、  １１  最上階隣接階、  １２  最下階、  １３  最下階隣接階、  １４  地震感知器、  １５  地震時低速運転スイッチ、  １６  各台制御装置外部入力手段、  １７  群管理通信監視手段、  １８  停止位置判定手段、  １９  ドアゾーン内外判定手段、  ２０  救出階判定手段、  ２１  乗客救出完了判定手段、  ２２  走行方法選択手段、  ２２ａ  通常走行手段、  ２２ｂ  低速走行手段、  ２３  群管理装置外部入力手段、  ２４  救出階変更手段、  ２４ａ  上かご位置検出手段、  ２４ｂ  下かご位置検出手段、  ２５  起動阻止かご判定手段、  ２６  同時走行かご判定手段。
【図１】
2014094826.tif 000003
【図２】
2014094826.tif 000004
【図３】
2014094826.tif 000005
【図４】
2014094826.tif 000006
【図５】
2014094826.tif 000007
【図６】
2014094826.tif 000008
【図７】
2014094826.tif 000009
【図８】
2014094826.tif 000010
【図９】
2014094826.tif 000011
【図１０】
2014094826.tif 000012